(57)【要約】      （修正有）【課題】長尺原反ロールより短尺ロールに巻き替えコアレスロール製品を形成する巻替機において、巻芯をターレットに装着して作業効率の向上を図るコアレス型巻替機の巻芯装置を提供する。【解決手段】長尺原反ロールよりウエブを巻き戻し、短尺ロールに巻き替える巻替機であって、円周上、３分割された巻芯を中央より分断し、その各々の巻芯１０，１０′を左右のターレット盤１，１′に取り付けた各巻芯装置２，２′内のエアーシリンダー５，５′先端に互いに押し合い可能に設置する。さらに、エアーシリンダー５，５′の作動により左右の巻芯１０，１０′を前進させ押し合わせて拡張し、ウエブ巻き取りを行なわせる一方、巻き取り終了後、左右の巻芯を後退させ、収縮させて巻取ロールの取り出しを可能ならしめるよう構成した。【選択図】図１
0003172373.tif 000002
【実用新案登録請求の範囲】
【請求項１】
長尺原反ロールよりウエブを巻き戻し、短尺ロールに巻替える巻替機であって、左右のターレット盤に互いに対向して巻芯装置を装着し、各巻芯装置は夫々、ケース内にエアーシリンダーを内包して各先端に芯金を前進，後退可能に保持すると共に、各芯金先端に、円周上、３分割された巻芯を中央より分断して各分断された巻芯をその先端部に設けたテーパー金具により互いに押し合い可能に設置してなり、エアーシリンダーの前進動により左右の巻芯のテーパー金具同士を押し合わせて巻芯を拡張しウエブ巻き取りを行う一方、左右のテーパー金具の離反，復帰により巻芯を収縮し、巻取りロールの取り外しを可能ならしめることを特徴とするコアレス型巻替機の巻芯装置。
【考案の詳細な説明】
【技術分野】
【０００１】
本考案はコアレス型巻替機の巻芯装置に係り、詳しくは独立した巻芯をサイクルさせて使用するのと異なり、左右ターレット盤に装着した巻芯を互いに突き合わせ、拡張させてウエブを巻取り、巻取り終了後、互いに離去させて収縮させ、コアレス巻取りロール製品として取り出す、巻芯サイクル機構不要の上記巻替機の巻芯装置に関するものである。
【背景技術】
【０００２】
現在、市販されているクッキングシート，アルミホイル等は５ｍ，８ｍ，１０ｍ巻等であるが、これらは家庭で使用されるため、通常、紙管に短尺で巻かれており、紙管両端にチャックのテーパーコーン状ボスを押し込み、保持して巻き取られているが、短尺であることから巻芯にかかる費用が高く、巻芯なしで巻き取ることが求められていた。
【０００３】
ところが、巻芯なしで巻き取るには巻かれるシートの物性にもよるが、通常、専用の巻替機が必要となる。そこで、上記巻芯なしでウエブを巻き取る手段として紙管に代わり拡縮可能な巻芯を使用し、巻き取り時は拡大状態で巻芯の働きをし、巻き終えた後は縮小させて巻取ロールから引き抜き、巻芯なしの状態とすると共に、引き抜いた巻芯を次の巻芯として繰り返し使用することが行なわれている。（例えば特許文献１参照）
【先行技術文献】
【特許文献】
【０００４】
【特許文献１】特開２００４−２１７３９７号公報
【考案の概要】
【考案が解決しようとする課題】
【０００５】
しかし、上記コアレスの製品ロールを得る巻き取りは、引き抜きした巻芯を繰り返し使用するとしても使用に伴う巻芯の損傷は争えず、しかも繰り返し使用するための装置を作成することは複雑であり、効率的であるとは云えない難があった。
【０００６】
本考案は叙上の如き実状に対処し、特に巻芯をターレット盤に装着することを見出して巻芯のサイクル機構を不要とし、短尺ロールの巻替えを効率化して家庭用ロール製品等の製作費用の縮減を図ることを目的とするものである。
【課題を解決するための手段】
【０００７】
即ち、上記目的に適合する本考案は、長尺原反ロールよりウエブを巻き戻し、短尺ロールに巻き替える巻替機であって、左右のターレット盤に互いに対向して巻芯装置を装着し、各巻芯装置は夫々、ケース内にエアーシリンダーを内包して各先端に芯金を前進，後退可能に保持すると共に、各芯金先端に、円周上、３分割された巻芯を中央より分断して各分断された巻芯をその先端部に設けたテーパー金具により互いに押し合い可能に設置してなり、エアーシリンダーの前進動により左右の巻芯のテーパー金具同士を押し合わせて巻芯を拡張しウエブ巻き取りを行う一方、左右のテーパー金具の離反，復帰により巻芯を収縮し、巻取りロールの取り外しを可能ならしめた構成にある。
【考案の効果】
【０００８】
上記本考案装置は、ウエブ巻替機を使用した巻き替えを行うにあたり、左右のターレット盤に装備された巻芯装置に巻芯が装置され、これが中央より分断されていて左右夫々のターレット盤からエアーシリンダーで開閉する機構を備え、左右の巻芯が互いに押し合って拡張し巻き取りを行うと共に、巻き取り終了後は巻芯は離去して収縮し、巻取ロールを取り外し得るようになっているので、従来の如く独立した巻芯を再使用するものと異なり、従って巻芯をサイクル使用する機構を必要とせず、巻芯ならびに再使用に要する経費を節減し、効率的に巻替えることができる効用を有する。
【図面の簡単な説明】
【０００９】
【図１】巻芯装置を開いた状態の本考案装置の概要図である。
【図２】巻芯装置を閉で巻き取り中の状態の本考案装置概要図である。
【図３】巻取終了時における本考案装置概要図である。
【図４】本考案装置の一方の巻芯装置を示す拡大説明図である。
【図５】巻芯の断面図で、（イ）は収縮時、（ロ）は拡張時である。
【図６】本考案巻芯装置を用いる巻替機の巻取ロール（短尺ロール）取り外し補助機構における巻尻端のほぐれを防止する状態を示す概要図である。
【図７】本考案における短尺ロールの第１層の抜けを防止する説明図である。
【考案を実施するための形態】
【００１０】
以下、更に添付図面を参照し、本考案の具体的態様を説明する。図１〜図３は本考案装置の要部説明図であり、図１は分断された左右の巻芯が開いている状態、図２は左右の巻芯の先端が押し合い、閉じて巻き取りを行っている状態、図３は巻き取りが終了し、巻取りロールが移動するときの状態を示している。また、図４は上記本考案装置における巻芯装置の詳細図で、  図５（イ）は巻芯収縮時の断面、（ロ）は巻芯拡張時の断面を示す。これら各図において１，１′は左右のターレット盤、２，２′は左右のターレット盤１，１′に装着された各巻芯装置である。
【００１１】
各巻芯装置２，２′は図４に一方を拡大して示すように、左右のターレット盤１，１′に装着されたケース３，３′の内部に巻芯ホルダー４，４′を内包し、各巻芯ホルダー４，４′後部は圧縮空気が供給、排出される通孔５ａ，５′ａを有する圧力室をもつエアーシリンダー５，５′となっていて、前記巻芯ホルダー４，４′を前後に摺動させるようになっている。巻芯ホルダー４，４′は芯金６，６′が先端をケース３，３′より突き出して内挿保持されており、芯金には巻取中の巻芯駆動ベルト７，７′または巻き上がり後の駆動コロ８，８′（図２，図３及び図６，図７参照）に係合するプーリ部９，９′が設けられていると共に、その先端には円周上で３分割された巻芯（コア）１０，１０′が巻芯戻しばね１１，１１′を介して取り付けられて、その先端に戻しばね１３を介してテーパー金具１２，１２′が巻芯装置２，２′が閉じた時、互いに押し合って３分割された巻芯の分割隙間を拡げ（図５（ロ）参照）、巻芯径を拡大するように設置されている。
【００１２】
なお、拡がった巻芯１０，１０′にウエブが巻かれて巻き上がり後に左右の巻芯装置が開いた時には左右のテーパー金具は戻しばね１３，１３′により復帰し（図５（イ）参照）、円周上、３分割された巻芯１０，１０′は収縮し、巻き取られた巻取短尺ロールと巻芯との間に隙間ができて取り外しを容易にすることが出来る。図中１４，１４′は巻芯保持用のゴムリングであり、１５，１５′は駆動伝達ボルトで、芯金６，６′に設けられた長穴１６，１６′内に収設されている。かくして本考案巻芯装置は以上の如く構成されて巻替機の左右のターレット盤間に複数個設置されウエブ巻き替えに使用される。
【００１３】
図６は上記ウエブ巻替機を使用して巻き替えを行う態様であり、多軸ターレット巻取機が使用され、長尺原反ロールＲより巻き戻されたウエブＷはガイドローラ２１を経てターレット装置Ｔに送られ、巻取位置ａで左右のターレット盤間に押し合い保持された外径の拡大された巻芯１０，１０′に巻芯駆動ベルト７，７′の駆動により巻取短尺ロールＲ′として巻き替えられる。そして巻き替えられた短尺ロールＲ′は満巻後、ターレット装置Ｔの回動に従って移行し、巻取位置ａと移行した巻き上がり位置ｂの間で図示していないが切断刃によってウエブを切断し、切断端を次の巻芯に巻き付かせる一方、移行した巻取短尺ロールＲ′は取り外し位置ｃへ進められて取り外される。
【００１４】
なお、巻取短尺ロールＲ′（以後、単に短尺ロールＲ′と称する）の取り外しにおいては、巻取位置ａより巻き上がり位置ｂを経て取り外し位置ｃに巻き取った短尺ロールＲ′が移動したとき、その巻尻端がほぐれることがあるため駆動コロ８，８′が芯金６，６′のプーリ部９，９′に接触し、（図３，図６参照）短尺ロールＲ′を巻取方向に回転させる。更に回転させながら待機位置ｅで待機していた抱込みアーム２２が働き位置ｄへ移動し巻尻を巻き込んでほぐれを防止する。そして、短尺ロールＲ′の取り外し時には巻取ロールの芯側第１層が芯についてきて抜けてしまう恐れがあるので抱込みアーム２２が短尺ロールＲ′を保持したまま駆動コロ８，８′を巻芯装置の開と同時に逆転させ、短尺ロールＲ′の芯側第１層を第２層以降の層に押し当てるようにして短尺ロールの第１層の抜けを防止する。
【００１５】
かくして、本考案装置は左右の巻芯をシリンダー作動により互いに押し合わせ巻き取りを行うと共に、行なった後は、左右の巻芯を開いて巻き取られた短尺ロールを取り外すようにしているため、従来の如き独立した巻芯をサイクルさせて使用する必要なく、巻き替えを行うことができる。
【符号の説明】
【００１６】
Ｒ：原反ロール
Ｒ′：巻取ロール（短尺ロール）
１，１′：ターレット盤
２，２′：巻芯装置
３，３′：ケース
４，４′：巻芯ホルダー
５，５′：エアーシリンダー
６，６′：芯金
７，７′：巻芯駆動ベルト
８，８′：駆動コロ
９，９′：プーリ部
１０，１０′：巻芯（コア）
１１，１１′：巻芯戻しばね
１２，１２′：テーパ金具
１３，１３′：戻しばね
１４，１４′：コア保持用ゴムリング
１５，１５′：駆動伝達ボルト
１６，１６′：長穴
２２：抱込みアーム
【図１】
0003172373.tif 000003
【図２】
0003172373.tif 000004
【図３】
0003172373.tif 000005
【図４】
0003172373.tif 000006
【図５】
0003172373.tif 000007
【図６】
0003172373.tif 000008
【図７】
0003172373.tif 000009